(57)【要約】【課題】電子機器の外装ケースの内側に設置した際の設置スペースを小さくできて電子機器の小型化が図れるプッシュロックスイッチ及びその電子機器取付構造を提供する。【解決手段】第１，第２スイッチケース１０，２１０と、第１，第２スイッチケース１０，２１０内にスライド移動自在に収納される操作体１１０と、操作体１１０をスライド移動方向Ａに弾発する弾発バネ１９０と、操作体１１０のスライド移動によって接点が開閉制御されるスイッチ機構５０と、操作体１１０を弾発バネ１９０の弾発力に抗して押圧移動したロック位置にてロック保持するとともに再度の押圧によって非ロック位置に自動復帰させるロック機構１５０とを具備する。操作体１１０にはスライド移動方向Ａに交差する方向に向けて突出する操作レバー１１１が設けられている。操作レバー１１１はスライド移動方向Ａと平行な外周面に設けたレバー挿通部２１１から外部に突出している。【選択図】図６
2010033951.tif 000002
【特許請求の範囲】
【請求項１】
スイッチケースと、
スイッチケース内にスライド移動自在に収納される操作体と、
操作体をスイッチケース内においてスライド移動方向に弾発する弾発機構と、
スイッチケース内に設置され、前記操作体のスライド移動によって接点が開閉制御されるスイッチ機構と、
スイッチケース内に設置され、前記操作体を非ロック位置から前記弾発機構の弾発力に抗して押圧移動したロック位置にてロック保持するとともに再度の押圧によってロックを解除して非ロック位置に自動復帰させるロック機構と、を具備し、
前記操作体には、操作体のスライド移動方向に交差する方向に向けて突出する操作レバーが設けられており、この操作レバーは前記スイッチケースのスライド移動方向と平行な外周面に設けたレバー挿通部から外部に突出していることを特徴とするプッシュロックスイッチ。
【請求項２】
請求項１に記載のプッシュロックスイッチは、操作体のスライド移動方向が、このプッシュロックスイッチを取り付ける電子機器の外装ケースの内面に沿う方向を向くように、外装ケースの内側に設置され、前記操作レバーに取り付けられる操作つまみを前記外装ケースに設けた開口から露出させたことを特徴とするプッシュロックスイッチの電子機器取付構造。
【請求項３】
請求項２に記載のプッシュロックスイッチの電子機器取付構造において、
前記操作つまみが前記弾発機構の弾発力に抗して押圧移動していく前方の外装ケースと前記操作つまみの間は、操作つまみを前記押圧方向とは逆方向へ押圧するのを阻害するため、指の係止を防止する指係止防止構造となっていることを特徴とするプッシュロックスイッチの電子機器取付構造。
【請求項４】
請求項３に記載のプッシュロックスイッチの電子機器取付構造において、
前記操作つまみは、この操作つまみを前記弾発機構の弾発力に抗して押圧移動していく方向に向かってその高さを高くする形状に形成されていることを特徴とするプッシュロックスイッチの電子機器取付構造。
【請求項５】
請求項３に記載のプッシュロックスイッチの電子機器取付構造において、
前記操作つまみの前記指係止防止構造を設けた面の反対側の面に、前記弾発機構の弾発力に抗して操作つまみを押圧する方向の反対方向に向けて突出する指係止部を設けたことを特徴とするプッシュロックスイッチの電子機器取付構造。
【発明の詳細な説明】
【技術分野】
【０００１】
本発明は、電源スイッチ等として用いて好適なプッシュロックスイッチ及びその電子機器取付構造に関するものである。
【背景技術】
【０００２】
従来この種のプッシュロックスイッチは、例えば特許文献１の図１に示すように、スイッチケース（Ａ）内にスライド移動自在に操作体（Ｃ）を収納し、圧縮スプリング（１０）によって操作体（Ｃ）を一方向ｄに弾発し、圧縮スプリング（１０）の弾発力に抗して操作体（Ｃ）をスライド移動することでスイッチケース（Ａ）内に設置している接触機構（Ｂ）を駆動してスイッチのオンオフを行い、また操作体（Ｃ）とスイッチケース（Ａ）の間に操作体（Ｃ）をスライド移動した際にその移動位置で一旦停止させるオルタネイト機構（Ｄ）を設置して構成されていた。
【０００３】
しかしながら上記従来のプッシュロックスイッチにおいては、操作体（Ｃ）に設けたプランジャ部（３２ｂ）及び押釦部（３２ｃ）が操作体（Ｃ）のスライド移動方向に向けて突出しているので、本願の図１７に示すようにこのプッシュロックスイッチ５００を例えば電子機器の電源スイッチとして用いて電子機器の外装ケース５１０の内側に設置し、押釦部５０１に取り付けた押釦５５０を外装ケース５１０に設けた開口部５１１から露出させたような場合、プッシュロックスイッチ５００はその長手方向が外装ケース５１０の内面に対して直交する方向を向くように突出して設置されるので、電子部品を構成する他の各種電子部品の外装ケース５１０内面近傍位置への設置が阻害され、電子機器の小型化の障害になってしまうという問題があった。
【特許文献１】特開平７−２１８７６号公報
【発明の開示】
【発明が解決しようとする課題】
【０００４】
本発明は上述の点に鑑みてなされたものでありその目的は、電子機器の外装ケースの内側に設置した際の設置スペースを小さくできて電子機器の小型化が図れるプッシュロックスイッチ及びその電子機器取付構造を提供することにある。
【課題を解決するための手段】
【０００５】
本願請求項１に記載の発明は、スイッチケースと、スイッチケース内にスライド移動自在に収納される操作体と、操作体をスイッチケース内においてスライド移動方向に弾発する弾発機構と、スイッチケース内に設置され、前記操作体のスライド移動によって接点が開閉制御されるスイッチ機構と、スイッチケース内に設置され、前記操作体を非ロック位置から前記弾発機構の弾発力に抗して押圧移動したロック位置にてロック保持するとともに再度の押圧によってロックを解除して非ロック位置に自動復帰させるロック機構と、を具備し、前記操作体には、操作体のスライド移動方向に交差する方向に向けて突出する操作レバーが設けられており、この操作レバーは前記スイッチケースのスライド移動方向と平行な外周面に設けたレバー挿通部から外部に突出していることを特徴とするプッシュロックスイッチにある。
【０００６】
本願請求項２に記載の発明は、請求項１に記載のプッシュロックスイッチは、操作体のスライド移動方向が、このプッシュロックスイッチを取り付ける電子機器の外装ケースの内面に沿う方向を向くように、外装ケースの内側に設置され、前記操作レバーに取り付けられる操作つまみを前記外装ケースに設けた開口から露出させたことを特徴とするプッシュロックスイッチの電子機器取付構造にある。
【０００７】
本願請求項３に記載の発明は、請求項２に記載のプッシュロックスイッチの電子機器取付構造において、前記操作つまみが前記弾発機構の弾発力に抗して押圧移動していく前方の外装ケースと前記操作つまみの間は、操作つまみを前記押圧方向とは逆方向へ押圧するのを阻害するため、指の係止を防止する指係止防止構造となっていることを特徴とするプッシュロックスイッチの電子機器取付構造にある。
【０００８】
本願請求項４に記載の発明は、請求項３に記載のプッシュロックスイッチの電子機器取付構造において、前記操作つまみは、この操作つまみを前記弾発機構の弾発力に抗して押圧移動していく方向に向かってその高さを高くする形状に形成されていることを特徴とするプッシュロックスイッチの電子機器取付構造にある。
【０００９】
本願請求項５に記載の発明は、請求項３に記載のプッシュロックスイッチの電子機器取付構造において、前記操作つまみの前記指係止防止構造を設けた面の反対側の面に、前記弾発機構の弾発力に抗して操作つまみを押圧する方向の反対方向に向けて突出する指係止部を設けたことを特徴とするプッシュロックスイッチの電子機器取付構造にある。
【発明の効果】
【００１０】
請求項１，請求項２に記載の発明によれば、プッシュロックスイッチを電子機器の外装ケースの内側に設置した際の設置スペースを小さくできて電子機器の小型化を図ることができる。その際プッシュロックスイッチの押圧ストロークを短くする必要もないので、そのストロークを十分長くすることで確実なオンオフ動作や良好な操作感覚が得られ、特に電源スイッチとして用いて好適となる。
【００１１】
請求項３に記載の発明によれば、操作つまみの逆方向への押圧が防止され、プッシュロックスイッチへの無理な力の印加による破損を防止することができる。
【００１２】
請求項４，請求項５に記載の発明によれば、請求項３に記載の指係止防止構造に加えて、操作つまみの形状を弾発機構の弾発力に抗して押圧移動していく方向のみに押圧し易い構造としたので、さらに効果的に操作つまみの逆方向への押圧が防止され、プッシュロックスイッチへの無理な力の印加による破損を防止することができる。
【発明を実施するための最良の形態】
【００１３】
以下、本発明の実施形態を図面を参照して詳細に説明する。
〔第１実施形態〕
図１は本発明の第１実施形態にかかるプッシュロックスイッチ１−１の斜視図、図２はプッシュロックスイッチ１−１の分解斜視図（その上側の部品）、図３はプッシュロックスイッチ１−１の分解斜視図（その下側の部品）である。これらの図に示すようにプッシュロックスイッチ１−１は、第１スイッチケース１０内に、スイッチ機構５０と、操作体１１０と、ロック機構１５０と、弾発機構（以下「弾発バネ」という）１９０とを収納し、その上に第２スイッチケース２１０と取付板２３０とを取り付けて構成されている。以下各構成部品について説明する。なお以下の説明において、「上」とは第１スイッチケース１０から操作体１１０側を向く方向をいい、「下」とはその反対方向をいうものとする。また図２に示す矢印Ａ方向、即ち第１スイッチケース１０内に収納した操作体１１０の移動方向をスライド移動方向Ａというものとする。
【００１４】
図４は第１スイッチケース１０を下面側から見た斜視図である。図３及び図４に示すように第１スイッチケース１０は合成樹脂の一体成形品であり、上面が開放された略矩形状の箱型に形成され、上面側の凹部が収納部１１になっている。収納部１１は中央に設けたスライド移動方向Ａに向かう分離壁１３によって２つの室１５，１７に分離されており、一方の室１５をスイッチ機構設置室１５、他方の室１７をロック及び弾発機構収納室１７としている。分離壁１３は略平板状で、収納部１１の底面から立設しており、そのスライド移動方向Ａの両端は対向する両内側壁に接続されている。
【００１５】
第１スイッチケース１０の底面のスイッチ機構設置室１５の下面側には、図４に示すように一対のスリット状の端子挿通孔１９，２１が設けられている。スリットの向きはスライド移動方向Ａである。両端子挿通孔１９，２１はスライド移動方向Ａに所定距離離れ、且つスライド移動方向Ａに直交する方向に少しずれた位置に設けられている。
【００１６】
一方ロック及び弾発機構収納室１７内には、図３に示すように、その底面の略中央から上方向に向かって柱状のピン取付支持部２３が立設されており、その上面には小孔からなるピン取付部２５が設けられている。ピン取付支持部２３の外周側壁の１側面からはピン取付支持部２３の高さより低くてスライド移動方向Ａ（下記する操作体１１０のカム溝機構１２５の下部の位置）に向かって延びるカム機構支持部２６が設けられている。カム機構支持部２６はロック及び弾発機構収納室１７の底面から壁状に立設している。
【００１７】
第１スイッチケース１０のスライド移動方向Ａに平行な外周側壁１０ａ，１０ｃの上辺の両端近傍の内側位置（４ヶ所）には、スライド移動方向Ａに向かって延びる切り欠きからなるガイド溝２７が設けられている。また一対の外周側壁１０ａ，１０ｃの外面の所定位置にはそれぞれ２つの突部２９，３１を設けることでその間に係止溝３３を設けている（図３において奥側の突部２９及び係止溝３３は記載されていない）。またもう１つの外周側壁１０ｂにも２つの突部３５，３７を設けることでその間に係止溝３９を設けている。
【００１８】
スイッチ機構５０は図３に示すように、何れも金属板からなる、共通固定端子片６０と固定端子片７０と回転子８０と可動接触片９０と圧縮バネ１００とを具備して構成されている。共通固定端子片６０は略矩形状の端子部６１の上に他部品係止部６３を設けて形成されている。他部品係止部６３は端子部６１の上辺の一端近傍から帯状に上方向に突出した後に略直角に固定端子片７０から離れる方向に屈曲し、さらに上方向に屈曲して延びる形状に形成されており、これらの屈曲によって形成される２つの凹状の角部にそれぞれ係止溝６５，６７を設けている。
【００１９】
固定端子片７０は略矩形状の端子部７１の上に連結部７５を介して固定接点設置部７３を接続して形成されている。固定接点設置部７３は略矩形平板状であり、連結部７５の部分を略直角に折り曲げることで、端子部７１の面に対して略直交するように配置され、その上面中央には固定接点７７が取り付けられている。
【００２０】
回転子８０は中央に開口８１が設けられた基部８３と、基部８３の一端部両側辺からそれぞれ突出して上方向に屈曲することで対向させてなる一対のアーム形状の回動操作片８５と、基部８３の他端部両側辺からそれぞれ突出して上方向に屈曲することで対向させてなる一対の略Ｌ字形状の係止部８７と、両回動操作片８５の間の辺の中央部分を上方向に切り起こしてなる舌片状の係止突片８９とを具備して構成されている。回動操作片８５の先端部部分は押圧部８５ａ、係止部８７の略直角の凹部の部分は係合部８７ａとなっている。
【００２１】
可動接触片９０は略長方形状であって中央に開口９１が形成された基部９３と、基部９３の一端部に形成された略矩形状の可動接点取付部９５と、可動接点取付部９５の下面中央に取り付けられる可動接点９７（図６参照）と、可動接点取付部９５を設けた側の開口９１の内周辺によって形成されるバネ係止部９８と、可動接点取付部９５を設けた反対側の開口９１の内周辺によって形成される回転子係止部９９と、を具備して構成されている。
【００２２】
圧縮バネ１００は、矩形状の板バネを逆Ｕ字状に屈曲させて構成されており、その両端部にそれぞれ係止部１０１，１０３を設けている。
【００２３】
操作体１１０は合成樹脂を一体成形することによって略矩形状に形成されており、その外形寸法は、前記第１スイッチケース１０の収納部１１内にすっぽり収納されてスライド移動方向Ａにスライド移動できる外形寸法に形成されている。操作体１１０の上面中央には上方向に突出する（即ち操作体１１０のスライド移動方向Ａに交差する方向に向けて突出する）柱状の操作レバー１１１が設けられ、また上面４隅の外周部分には左右に張り出す小突起状のガイド突起１１３が突設され、また上面４隅の上面には上方向に突出する小突起からなる当接部１１５が設けられている。ガイド突起１１３は前記第１スイッチケース１０のガイド溝２７に挿入される寸法に形成されている。操作体１１０の下面中央にはスライド移動方向Ａに向かって直線状に延びる凹状のレール係合部１１７が設けられている。レール係合部１１７は前記第１スイッチケース１０の分離壁１３にぴったり係合して分離壁１３をレールとして操作体１１０をスライド移動方向Ａに向けてスライド移動自在に支持するものである。またレール係合部１１７の一方の側（前記第１スイッチケース１０のスイッチ機構設置室１５に対向する側）の下面にはスライド移動方向に向かって延びる凹状のスイッチ機構収納部１１９が設けられ、レール係合部１１７の他方の側（前記第１スイッチケース１０のロック及び弾発機構収納室１７に対向する側）にはスライド移動方向に向かって延びる貫通孔からなるロック及び弾発機構収納部１２１と、ロック及び弾発機構収納部１２１の一端部に位置するカム機構形成部１２３とが設けられている。ロック及び弾発機構収納部１２１は第１スイッチケース１０のピン取付支持部２３を挿通する寸法に形成されている。カム機構形成部１２３は略矩形状の平板であってその上面には所定形状のカム溝機構１２５が設けられ、またカム機構形成部１２３の裏面にはスライド移動方向Ａに延びる直線状の凹部１２７が設けられている。
【００２４】
カム溝機構１２５は下記する連結ピン１５１と共にロック機構１５０を構成する部分である。このカム溝機構１２５は従来公知の各種プッシュロック用のカム溝機構（代表的にはハート型カム溝機構）であり、その内部に形成されるカム溝（環状溝）１２６内を下記する連結ピン１５１のカム係合部１５３が定められた１方向にループ状に移動していくものである。即ち、カム係合部１５３はロック解除時は非ロック位置ａ１に位置し、カム係合部１５３に対して操作体１１０がスライド移動方向Ａ（図２の左方向）に移動した際は一旦位置ａ２に移動し、その後前記移動を解除することでロック位置ａ３にロックされる。再び操作体１１０を前記スライド移動方向Ａ（図２の左方向）に移動するとカム係合部１５３は位置ａ４に移動し、前記移動を解除すると元の非ロック位置ａ１に戻る。
【００２５】
スイッチ機構収納部１１９内の対向する左右両側面には、薄板状に突出する一対ずつの押圧突部１２９，１３１が設けられ、両押圧突部１２９，１３１の間の隙間を上記回転子８０の押圧部８５ａを挿入する押圧部挿入部１３３としている。また押圧突部１２９の最も下方向に張り出している部分は可動接触片当接部１３５となっている。
【００２６】
連結ピン１５１は金属棒の両端を同一方向に略直角に折り曲げ、その一端をカム係合部１５３、他端を軸支部１５５としている。
【００２７】
弾発バネ１９０はこの実施形態では円筒形状のコイルバネ（圧縮コイルバネ）によって構成されている。
【００２８】
第２スイッチケース２１０は合成樹脂を略矩形の平板状に成形して構成されており、その外形寸法形状は前記第１スイッチケース１０の外形寸法形状と略同一に形成されている。第２スイッチケース２１０の略中央には前記操作体１１０の操作レバー１１１をスライド移動自在に貫通するレバー挿通部２１１が設けられ、また前記第１スイッチケース１０の係止溝３９に対向する一側辺には下方向に向かって屈曲する略Ｔ字状の係止片２１３が設けられ、また第２スイッチケース２１０の上面の係止片２１３を設けた反対側近傍部分には一対の小突起状の係合部２１５が設けられている。レバー挿通部２１１は言い換えれば、第１，第２スイッチケース１０，２１０が形成するスイッチケースのスライド移動方向Ａと平行な外周面の内の１つの面に設けられている。ここで図５は第２スイッチケース２１０を下面側から見た斜視図である。同図に示すように第２スイッチケース２１０の下面のレバー挿通部２１１に隣接する位置には、円形に突出する連結ピン押え部２１７と、連結ピン押え部２１７内にその一部が侵入し連結ピン押え部２１７よりも高い高さで直線状に突出するバネ押え部２１９とが設けられている。
【００２９】
取付板２３０は平板状の金属板を略コ字状に屈曲し、屈曲によって下方向に向かう部分の先端を２つに分離して一対ずつの係止部２３１を設けて構成されている。取付板２３０には前記第２スイッチケース２１０の一対の係合部２１５をそれぞれ係合する小孔からなるケース係合部２３３を設けている。
【００３０】
次にプッシュロックスイッチ１−１の組立方法を説明する。まず第１スイッチケース１０のスイッチ機構設置室１５内に共通固定端子片６０と固定端子片７０を収納し、それぞれの端子部６１，７１を第１スイッチケース１０の端子挿通孔１９，２１に挿入し、これら共通固定端子片６０と固定端子片７０とを第１スイッチケース１０の底面に固定する。次に共通固定端子片６０の端子部６１の上に回転子８０を配置してその際図６に示すように回転子８０の係止突片８９を共通固定端子片６０の係止溝６５に係合し、次に回転子８０の両回動操作片８５の間に可動接触片９０を配置してその際図６に示すように可動接触片９０の回転子係止部９９を回転子８０の係合部８７ａに係合し、次に可動接触片９０の上に圧縮バネ１００を配置してその際図６に示すように圧縮バネ１００の一方の係止部１０１を可動接触片９０のバネ係止部９８に係止すると共に他方の係止部１０３を可動接触片９０の開口９１を通してその下側に位置する共通固定端子片６０の係止溝６７に係止する。
【００３１】
これによってスイッチ機構５０は図６に示すように、第１スイッチケース１０に固定される共通固定端子片６０と、第１スイッチケース１０に固定され固定接点７７を有する固定端子片７０と、共通固定端子片６０に対して回動自在に係合される回転子８０と、回転子８０に対して回動自在に係合され且つ可動接点９７を有する可動接触片９０と、可動接触片９０と共通固定端子片６０間を弾発することで共通固定端子片６０と回転子８０と可動接触片９０間の係合状態を維持する圧縮バネ１００とを具備する構造に構成されている。なおこのとき図６に示すように固定接点７７と可動接点９７とは所定距離離間して位置している。またこのとき可動接触片９０はその長手方向がスライド移動方向Ａとほぼ平行になるように配置されている。
【００３２】
次に図２に示す操作体１１０を図３に示す第１スイッチケース１０の収納部１１内に収納する。そのとき操作体１１０のレール係合部１１７に第１スイッチケース１０の分離壁１３を挿入することで操作体１１０をスライド自在に支持する。このとき同時に各ガイド突起１１３が各ガイド溝２７に係合され、またピン取付支持部２３がロック及び弾発機構収納部１２１内に挿入され、また凹部１２７内にカム機構支持部２６が挿入される。さらにこのとき図６に示すようにスイッチ機構５０を構成する回転子８０の一対の押圧部８５ａはそれぞれ操作体１１０の一対の押圧部挿入部１３３内に挿入されており、また操作体１１０の一対の可動接触片押圧部１３５は可動接触片９０の可動接点取付部９５の左右両端近傍の上面に当接して可動接点取付部９５がこの位置よりも上方向に移動しないようにしている。
【００３３】
次に操作体１１０のロック及び弾発機構収納部１２１内に露出しているピン取付支持部２３上端のピン取付部２５に連結ピン１５１の軸支部１５５を挿入し、同時に連結ピン１５１のカム係合部１５３を操作体１１０のカム溝１２６内に係合する。次に弾発バネ１９０を操作体１１０のロック及び弾発機構収納部１２１内に所定寸法圧縮しながら挿入する。このとき弾発バネ１９０は図８に示すように第１スイッチケース１０のピン取付支持部２３の側面と操作体１１０のロック及び弾発機構収納部１２１内周面間を弾発するので、操作体１１０には常にこれを図８に示す右方向に移動させようとする弾発力が付勢される。
【００３４】
次に第１スイッチケース１０上を覆うように第２スイッチケース２１０を被せ、そのとき第２スイッチケース２１０のレバー挿通部２１１に操作レバー１１１を挿通し、同時に係止片２１３を係止溝３９に係止する。そして第２スイッチケース２１０の上に取付板２３０を載置して第２スイッチケース２１０の各係合部２１５を取付板２３０の各ケース係合部２３３に挿入・係合する。このとき取付板２３０の一対ずつの係止部２３１を第１スイッチケース１０の係止溝３３に挿入し、各係止部２３１の先端を突部２９，３１の下面側に折り曲げれば、図１に示すプッシュロックスイッチ１−１が完成する。なお上記組立手順はその一例であり、他の各種異なる組立手順を用いて組み立てても良いことはいうまでもない。なおプッシュロックスイッチ１−１は、図１に示すように、ロック機構１５０を設置する領域Ｓ２と弾発バネ１９０を設置する領域Ｓ３とをスライド移動方向Ａに向けて直線状に併設しており、且つスイッチ機構５０を設置する領域Ｓ１と前記両領域Ｓ２，Ｓ３とを操作体１１０のスライド移動方向Ａに対して交叉する対向位置に並列に配置しているので、プッシュロックスイッチ１−１のスライド移動方向Ａに向かう長さ寸法を短くできてその小型化を図ることができる。
【００３５】
次にプッシュロックスイッチ１−１の動作を説明する。図６〜図８はプッシュロックスイッチ１−１の動作説明図であり、図６は非ロック時のスイッチ機構５０部分の概略構成図、図７はロック時のスイッチ機構５０部分の概略構成図、図８はロック時のロック機構１５０と弾発バネ１９０の部分の概略構成図である。
【００３６】
まず非ロック時は図６に示すように、圧縮バネ１００の弾発力によって可動接触片９０は可動接点９７方向（前方）に向けて押し出すように弾発され、回転子８０は図６に示す右方向に回転してその押圧部８５ａが操作体１１０の押圧部挿入部１３３の押圧突部１２９側の側面に当接する。このとき可動接触片９０の回転子係止部９９は上昇位置にあり、また可動接点取付部９５の上面は操作体１１０の可動接触片当接部１３５に当接し、可動接点９７は固定接点７７から離れており、両端子部６１，７１間はオフになっている。つまりこのとき回転子８０は係止突片８９を中心に右回転方向に付勢され、可動接触片９０は回転子係止部９９を中心に左回転方向に付勢されている。またこのとき連結ピン１５１のカム係合部１５３は図２に示す非ロック位置ａ１（図２参照）に位置している。
【００３７】
次に操作レバー１１１を図６に示す左方向（矢印Ａ１方向）に移動していくと、前記押圧部８５ａが押圧突部１２９側の側面に押圧されて回転子８０は圧縮バネ１００の弾発力に抗して係止突片８９を中心に左回りに回転してゆき、これによって前記可動接触片９０の回転子係止部９９の位置が下降し、所定の位置以下に下降すると、可動接触片９０には前記圧縮バネ１００による付勢力の方向が回転子係止部９９を中心に左回転方向から右回転方向に変換され、これによって可動接触片９０は右回転して可動接触片当接部１３５への当接が解除されるとともに可動接点９７は固定接点７７に当接し、スナップアクションにてスイッチがオンする。さらにもう少し操作体１１０を左方向Ａ１に移動すると圧縮バネ１００による回転子８０への付勢力の方向も右回転方向から左回転方向に変換され、その瞬間に回転子８０は自動的に左回転し、図７に示す状態になり、この状態に安定して保持される。このとき連結ピン１５１のカム係合部１５３は図２に示すロック位置ａ３（図２参照）にあるので、操作体１１０はこの位置に保持される。
【００３８】
次に操作レバー１１１を図７に示す左方向（矢印Ａ１方向）に少し移動すると、図２に示す前記連結ピン１５１のカム係合部１５３はロック位置ａ３を抜け出して位置ａ４に移動し、次に前記操作レバー１１１への押圧を解除すると弾発バネ１９０の弾発力によって操作体１１０は図７に示す右方向（矢印Ａ２方向）に移動を始め、回転子８０の押圧部８５ａが操作体１１０の押圧部挿入部１３３の押圧突部１３１側の側面に押圧されて右回転してゆき、可動接触片９０の回転子係止部９９の位置が上昇し、所定の位置以上に上昇すると、回転子８０に対する圧縮バネ１００の付勢力の方向が左回転方向から右回転方向に変換され、略同時に可動接触片９０に対する圧縮バネ１００の付勢力の方向が右回転方向から左回転方向に変換され、これによって可動接触片９０は図６に示す状態に戻り、可動接点９７が固定接点７７から離間して、スナップアクションにてスイッチがオフする。このとき連結ピン１５１のカム係合部１５３は元の非ロック位置ａ１に戻る。
【００３９】
以上説明したようにプッシュロックスイッチ１−１は、第１，第２スイッチケース１０，２１０と、第１，第２スイッチケース１０，２１０内にスライド移動自在に収納される操作体１１０と、操作体１１０を第１，第２スイッチケース１０，２１０内においてスライド移動方向Ａに弾発する弾発バネ１９０と、第１，第２スイッチケース１０，２１０内に設置され、操作体１１０のスライド移動によって接点（固定接点７７と可動接点９７）が開閉制御されるスイッチ機構５０と、第１，第２スイッチケース１０，２１０内に設置され、操作体１１０を弾発バネ１９０の弾発力に抗して押圧移動したロック位置ａ３にてロック保持するとともに再度の押圧によって非ロック位置ａ１に自動復帰させるロック機構１５０とを具備して構成されている。
【００４０】
ここでスイッチ機構５０は、第１スイッチケース１０に固定される共通固定端子片６０と、第１スイッチケース１０に固定され固定接点７７を有する固定端子片７０と、共通固定端子片６０に対して回動自在に係合され且つ操作体１１０の移動によって回転駆動される回転子８０と、回転子８０に対して回動自在に係合され且つ可動接点９７を有する可動接触片９０と、可動接触片９０と共通固定端子片６０間を弾発することで共通固定端子片６０と回転子８０と可動接触片９０間の係合状態を維持すると同時に回転子８０の回転位置に応じて可動接触片９０の可動接点９７と固定端子片７０の固定接点７７間をオン又はオフさせる圧縮バネ１００とを具備して構成されている。
【００４１】
またロック機構１５０は、両端部分を略直角に屈曲してなる棒状の連結ピン１５１の一端を回動自在に第１スイッチケース１０に軸支するとともに、連結ピン１５１の他端を操作体１１０に設けたカム溝機構１２５内に挿入係合して操作体１１０のスライド移動位置に応じてカム溝機構１２５内での係合位置を変更することで操作体１１０をそのロック位置と非ロック位置とに移動させる構造となっている。
【００４２】
図９は前記プッシュロックスイッチ１−１を電子機器であるディスプレイ装置３００の電源スイッチに用いた例を示す斜視図である。図９に示すようにディスプレイ装置３００は、略平板矩形状であって一方の面に液晶やプラズマ等からなる表示部３０１を設けており、例えばテレビやパソコンやその他の各種電子機器のディスプレイ等として使用されるものである。そしてプッシュロックスイッチ１−１はこのディスプレイ装置３００の外周を囲む外周側辺の内の上下方向に延びる外周側辺３０３の部分に設置されている。ディスプレイ装置３００の外周側辺３０３には略矩形状の開口３０５が設けられており、この外周側辺３０３の内部側に設置したプッシュロックスイッチ１−１の操作レバー１１１に取り付けた操作つまみ２５０が前記開口３０５から外部に向かって露出している。
【００４３】
図１０は図９のＥ−Ｅ線部分の概略断面拡大図である。同図に示すようにプッシュロックスイッチ１−１は、操作体１１０のスライド移動方向Ａが、ディスプレイ装置３００の外装ケース３０７の内面に沿う方向を向くように、外装ケース３０７の内側に設置されており、操作レバー１１１に取り付けた操作つまみ２５０を外装ケース３０７に設けた開口３０５から露出している。更に詳細に言えば、操作つまみ２５０はその押圧方向Ｃが、下方向（スライド移動方向Ａと同じで弾発バネ１９０の弾発力に抗して押圧する方向）を向くように設置されている。前記プッシュロックスイッチ１−１はその端子部６１，７１を突出している面が回路基板２７０の表面に載置され、端子部６１，７１が回路基板２７０に設けた回路パターンに電気的・機械的に固定されるので、回路基板２７０の面は外装ケース３０７の内面に沿う方向を向くことになる。従って図１７に示す従来例の場合に比べて、プッシュロックスイッチ１−１及びこれを取り付ける回路基板２７０が外装ケース３０７の内側に向かって大きく突出することはなく、外装ケース３０７の内部でのプッシュロックスイッチ１−１の設置スペースを実質的に小さくすることができ、ディスプレイ装置３００の外形寸法の小型化を図ったり、また外装ケース３０７の外周近傍まで表示部３０１を配置したりすることが可能になる。なおプッシュロックスイッチ１−１を電源スイッチに用いた場合は、その確実なオンオフ動作や良好な操作感覚が必要になるが、プッシュロックスイッチ１−１の長手方向の長さを長いままとしていても、その長さは外装ケース３０７内面に沿うように延びるので、他の部品を設置することを阻害しない。
【００４４】
また図９，図１０に示すように、操作つまみ２５０の上面２５０ａは、その押圧方向Ｃに向けてその高さを増加していく傾斜面となっている。言い換えれば、操作つまみ２５０はその押圧方向Ｃに向かってその高さを高くする形状に形成されている。そして上面２５０ａの最も高さの高くなっている部分、即ち操作つまみ２５０が押圧によって移動していく前方位置の外装ケース３０７の外面には、操作つまみ２５０の上面２５０ａと略同一の高さを有する逆方向押圧防止部３０９が突設されている。逆方向押圧防止部３０９とこれに隣接する操作つまみ２５０の上面２５０ａは略同一の高さ（図の例では逆方向押圧防止部３０９の方が若干高い）であり、且つ逆方向押圧防止部３０９（または開口３０５）とこれに隣接する操作つまみ２５０の間の隙間Ｌ１は操作つまみ２５０の押圧方向Ｃへのスライド移動によってスイッチのオンオフが可能な寸法より少しだけ大きい狭い隙間寸法（その間に指が入らない程度の隙間寸法）となっている。つまりこの実施形態の場合、逆方向押圧防止部３０９を設けてその高さを隣接する操作つまみ２５０の上面２５０ａの高さと略同一にすると同時に、両者間の隙間Ｌ１を狭くしてその間に指が入らないようにすることで、操作つまみ２５０が弾発バネ１９０の弾発力に抗して押圧移動していく前方の外装ケース３０７と操作つまみ２５０の間を、操作つまみ２５０を前記押圧方向とは逆方向へ押圧する際の指の係止を防止する指係止防止構造３１１としている。
【００４５】
そして図１０に示すように、実線で示す指４００によって操作つまみ２５０を下方向Ｃに向けて押圧操作すれば、操作つまみ２５０は図１０に示す非ロック位置から図１１に示すロック位置まで移動してこのロック位置にロック保持され、再度の下方向Ｃへの押圧によってロックが解除されて図１０に示す非ロック位置に自動復帰する。即ち前述のようにプッシュロックスイッチ１−１は非ロック位置とロック位置のそれぞれにおいて停止し、ディスプレイ装置３００の電源のオンオフが行える。つまりこの操作つまみ２５０は一方向（下方向Ｃ）の押圧でしか動作しない構造である。操作つまみ２５０の上面２５０ａは下方向に向かって高さを高くする傾斜面なので、上面２５０ａに触れた指４００による下方向Ｃへの押圧は容易に行える。
【００４６】
一方指４００によって操作つまみ２５０を上方向に向けて押圧操作（誤操作）しようとしても、操作つまみ２５０の上面２５０ａは上方向に向かって高さを下降する傾斜面なので指４００による上方向への押圧は困難であり、また図１０，図１１に点線で示す指４００のように操作つまみ２５０の下端部側を押し上げようとしても指４００が逆方向押圧防止部３０９にひっかかり、また操作つまみ２５０と逆方向押圧防止部３０９の間の隙間Ｌ１は狭いのでこの部分に指４００は入り込まず、これらのことから操作つまみ２５０を上方向に押し上げることは困難である。従って操作つまみ２５０の逆方向への押圧（誤操作）が防止され、プッシュロックスイッチ１−１への無理な力の印加による破損を防止することができる。ところで、操作つまみ２５０の正方向（下方向Ｃ）への移動時は前記第１スイッチケース１０と操作体１１０同士が当接することでその移動を確実に停止できるので強度が強いが、逆方向（誤操作方向）への操作つまみ２５０の移動時にこれを停止させるのはロック機構１５０の部分（連結ピン１５１とカム溝機構１２５）だけなのでその強度が弱い。このため前記操作つまみ２５０への逆方向への力の印加は連結ピン１５１の変形等によってプッシュロックスイッチ１−１の大きな破損の原因となるが、本発明は上述のようにこのような問題を確実に防止しているのである。また図１０に示す操作つまみ２５０は一方向だけにしか押圧できない（押圧し難い）構成なので、使用者からの「操作つまみ２５０を逆方向から押圧して動かそうとしても動かず、スイッチが動作しない」というクレーム（誤使用を正規使用と勘違いして動かないことを主張するクレーム）を発生させることも防止できる。
【００４７】
図１２はプッシュロックスイッチ１−１の前記ディスプレイ装置３００への取付構造の他の例を示す概略断面拡大図であり、図１０の場合と同一の部分の断面を示している。同図において前記図１０に示す各部材と同一または相当する部分には同一符号を付してその詳細な説明は省略する。この取付構造において前記図１０に示す取付構造と相違する点は、外装ケース３０７の外方に突出する逆方向押圧防止部３０９を省略し、操作つまみ２５０の高さ寸法（厚み寸法）を全体に小さくして最も高い下端部の高さを外装ケース３０７の外表面とほぼ同一に（または外表面より少し低く）し、さらに操作つまみ２５０の上部の外装ケース３０７の外面を操作つまみ２５０に向かって（開口３０５に向かって）その厚みを薄くしていくような傾斜面３０７ａとした点である。そしてこの取付構造の場合も、外装ケース３０７の開口３０５の下部の部分の外面とこれに隣接する操作つまみ２５０の上面２５０ａとは略同一の高さ（図の例では外装ケース３０７の外面の方が若干高い）であり、且つ外装ケース３０７の開口３０５の下辺とこれに隣接する操作つまみ２５０の間の隙間Ｌ１は操作つまみ２５０の押圧方向Ｃへのスライド移動によってスイッチのオンオフが可能な寸法より少しだけ大きい狭い隙間寸法（その間に指が入らない程度の隙間寸法）となっている。つまりこの実施形態の場合、外装ケース３０７の開口３０５の下部の部分の高さ（外面）を隣接する操作つまみ２５０の上面２５０ａの高さと略同一にすると同時に、両者間の隙間Ｌ１を狭くしてその間に指が入らないようにすることで、操作つまみ２５０が弾発バネ１９０の弾発力に抗して押圧移動していく前方の外装ケース３０７と操作つまみ２５０の間を、操作つまみ２５０を前記押圧方向とは逆方向へ押圧する際の指の係止を防止する指係止防止構造３１１としている。
【００４８】
そして図１２に示すように、実線で示す指４００によって操作つまみ２５０を下方向Ｃに向けて押圧操作すれば、前述のようにプッシュロックスイッチ１−１はオンの位置とオフの位置のそれぞれにおいて停止し、ディスプレイ装置３００の電源のオンオフが行える。操作つまみ２５０の上面２５０ａは下方向に向かって高さを高くする傾斜面なので、上面２５０ａに触れた指４００による下方向Ｃへの押圧は容易に行える。また外装ケース３０７にも傾斜面３０７ａを設けているので、更に容易に指４００を操作つまみ２５０の上面２５０ａに導くことができる。
【００４９】
一方点線で示すように指４００によって操作つまみ２５０を上方向に向けて押圧操作しようとしても、操作つまみ２５０の上面２５０ａは上方向に向かって高さを下降する傾斜面２５０ａなので指４００による上方向への押圧は困難であり、また図１２に点線で示す指４００のように操作つまみ２５０の下端部側を押し上げようとしても操作つまみ２５０と外装ケース３０７の間の隙間Ｌ１は狭いのでこの部分に指４００は入り込まず、操作つまみ２５０を上方向に押し上げることは困難である。従って操作つまみ２５０の逆方向への押圧が防止され、プッシュロックスイッチ１−１への無理な力の印加による破損を防止することができるなど、図１０，図１１で説明したのと同様の効果を有する。
【００５０】
図１３，図１４は他の形状の操作つまみ２５０を用いたプッシュロックスイッチ１−１の前記ディスプレイ装置３００への取付構造を示す概略断面拡大図であり、図１０の場合と同一の部分の断面を示している。両図において前記図１０に示す各部材と同一または相当する部分には同一符号を付してその詳細な説明は省略する。図１３に示す操作つまみ２５０は、その上面２５０ａが押圧方向Ｃに向かってその高さを高くする階段形状に形成されている。そしてこの操作つまみ２５０の場合も、逆方向押圧防止部３０９とこれに隣接する操作つまみ２５０の上面２５０ａとを略同一の高さにし、且つ逆方向押圧防止部３０９とこれに隣接する操作つまみ２５０の間の隙間Ｌ１を操作つまみ２５０の押圧方向Ｃへのスライド移動によってスイッチのオンオフが可能な寸法より少しだけ大きい狭い隙間寸法（その間に指が入らない程度の隙間寸法）としている。このように構成しても図１０に示すと同様の効果を生じる。
【００５１】
一方図１４に示す操作つまみ２５０は、その上面２５０ａが逆方向押圧防止部３０９の上面と略同一高さの平面状であって、操作つまみ２５０の指係止防止構造３１１を設けた面の反対側の面（図１４の上面）の上端近傍部分に、押圧方向Ｃの反対方向に向けて突出する指係止部２５５を設けている。もちろん同時に逆方向押圧防止部３０９とこれに隣接する操作つまみ２５０の間の隙間Ｌ１を操作つまみ２５０の押圧方向Ｃへのスライド移動によってスイッチのオンオフが可能な寸法より少しだけ大きい狭い隙間寸法（その間に指が入らない程度の隙間寸法）としている。このように構成しても図１０に示すと同様の効果を生じる。
【００５２】
〔第２実施形態〕
図１５は本発明の第２実施形態にかかるプッシュロックスイッチ１−２の概略断面図、図１６はプッシュロックスイッチ１−２の平面図（但し第２スイッチケース２１０を外した状態）である。これらの図に示すプッシュロックスイッチ１−２において、前記図１〜図１２に示すプッシュロックスイッチ１−１と同一又は相当部分には同一符号を付す。なお以下で説明する事項以外の事項については、前記図１〜図１２に示す実施形態と同じである。
【００５３】
このプッシュロックスイッチ１−２においても、前記プッシュロックスイッチ１−１と同様に、第１スイッチケース１０内に、スイッチ機構５０と、操作体１１０と、ロック機構１５０とを収納し、その上に第２スイッチケース２１０を取り付け、さらに第１スイッチケース１０の外部に突出する操作体１１０の内部に弾発機構（以下「弾発バネ」という）１９０を収納して構成されている。
【００５４】
このプッシュロックスイッチ１−２の第１スイッチケース１０は、第１実施形態のような分離壁１３を設けず、収納部１１内にスイッチ機構設置室１５を設置し、また収納室１１の一端部（スイッチ機構設置室１５にスライド移動方向Ａで略直列に並ぶ位置）にロック機構設置部１８を設け、前記スイッチ機構設置室１５内に第１実施形態と同じスイッチ機構５０を装着し、ロック機構設置部１８に第１実施形態で設けたピン取付支持部２３及びピン取付部２５を設けて構成されている。
【００５５】
操作体１１０も前記第１実施形態と同様に、合成樹脂を一体成形することによって略矩形状に形成されており、その外形寸法は前記第１スイッチケース１０の収納部１１内にすっぽり収納されてスライド移動方向Ａにスライド移動できる外形寸法に形成されている。また操作体１１０の上面には上方向に突出する（即ち操作体１１０のスライド移動方向Ａに交差する方向に向けて突出する）柱状の操作レバー１１１が設けられ、またその下面側にはスイッチ機構収納部１１９が設けられている。操作体１１０において前記第１実施形態の操作体１１０と相違する点は、第１実施形態でスイッチ機構収納部１１９に並列に設置したロック及び弾発機構収納部１２１を、スイッチ機構収納部１１９にスライド移動方向Ａで略直列に並ぶ位置に設置した点である。ロック及び弾発機構収納部１２１の一端部には第１実施形態と同様にカム機構形成部１２３が設けられ、その上面にはカム溝機構１２５が設けられている。ロック及び弾発機構収納部１２１は第１スイッチケース１０のピン取付支持部２３を挿通する寸法に形成されており、またカム溝機構１２５が連結ピン１５１と共にロック機構１５０を構成する点も第１実施形態と同様である。スイッチ機構収納部１１９内の対向する左右両側面に一対ずつの押圧突部１２９，１３１と押圧部挿入部１３３と可動接触片当接部１３５とが設けられている点も第１実施形態と同様である。
【００５６】
また弾発バネ１９０はロック及び弾発機構収納部１２１内に所定寸法圧縮しながら挿入されており、第１スイッチケース１０のピン取付支持部２３の側面と操作体１１０のロック及び弾発機構収納部１２１の内周面間を弾発して操作体１１０には常に図１５に示す右方向への弾発力が付勢されている。
【００５７】
第２スイッチケース２１０も第１実施形態と同様に、合成樹脂を略矩形の平板状に成形して構成されており、その外形寸法形状は第１スイッチケース１０の外形寸法形状と略同一であり、その内部に前記操作体１１０の操作レバー１１１をスライド移動自在に貫通するレバー挿通部２１１を設け、また略Ｔ字状の係止片２１３も設けられている。レバー挿通部２１１は言い換えれば、第１，第２スイッチケース１０，２１０が形成するスイッチケースのスライド移動方向Ａと平行な外周面の内の１つの面に設けられている。第２スイッチケース２１０は第１スイッチケース１０の上面を覆うように取り付けられ、その際操作レバー１１１をレバー挿通部２１１に挿通する。
【００５８】
そして図１５に実線で示すスイッチオフの状態から、操作レバー１１１を図１５に示す左方向（矢印Ａ１方向）に移動していくと、第１実施形態と同様にスナップアクションにて可動接点９７が固定接点７７に当接してスイッチがオンし、操作体１１０はロック機構１５０によってこの位置にロックされる。再び操作レバー１１１を図１５に示す左方向（矢印Ａ１方向）に少し移動すると、前記ロックが解除され、操作体１１０は弾発バネ１９０の弾発力によって図１５に示す右方向に移動してゆき、スナップアクションにて可動接点９７が固定接点７７から離間してスイッチがオフする。
【００５９】
そしてプッシュロックスイッチ１−２の場合も、操作体１１０には操作体１１０のスライド移動方向Ａに交差する方向に向けて突出する操作レバー１１１が設けられており、この操作レバー１１１は第１，第２スイッチケース１０，２１０のスライド移動方向Ａと平行な外周面に設けたレバー挿通部２１１から外部に突出しているので、プッシュロックスイッチ１−１で説明したのと同様の理由で、プッシュロックスイッチ１−２を電子機器の外装ケースの内側に設置した際の設置スペースを実質的に小さくできて電子機器の小型化を図ることができる。その際プッシュロックスイッチ１−２の押圧ストロークを短くする必要もないので、そのストロークを十分長くすることで確実なオンオフ動作や良好な操作感覚が得られ、特に電源スイッチとして用いて好適となる。また図９〜図１４に示すように操作つまみ２５０が弾発バネ１９０の弾発力に抗して押圧移動していく前方の外装ケース３００と操作つまみ２５０の間に、操作つまみ２５０を前記押圧方向とは逆方向へ押圧する際の指の係止を防止する指係止防止構造３１１を設ければ、操作つまみ２５０の逆方向への押圧が防止され、プッシュロックスイッチ１−２への無理な力の印加による破損が防止される。
【００６０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では電子機器としてディスプレイ装置３００を例に説明したが、他の各種電子機器であっても良いことは言うまでもない。また上記実施形態ではプッシュロックスイッチ１−１，１−２を電源スイッチとして用いた場合について説明したが、他の各種用途のスイッチとして用いても良い。また上記スイッチ機構やロック機構や弾発機構の構造は上記実施形態に限定されず、他の各種構造からなるスイッチ機構やロック機構や弾発機構であっても良い。また上記実施形態では操作レバー１１１と操作つまみ２５０とを別部品で構成したが、一体品で構成しても良い。
【図面の簡単な説明】
【００６１】
【図１】プッシュロックスイッチ１−１の斜視図である。
【図２】プッシュロックスイッチ１−１の分解斜視図（その上側の部品）である。
【図３】プッシュロックスイッチ１−１の分解斜視図（その下側の部品）である。
【図４】第１スイッチケース１０を下面側から見た斜視図である。
【図５】第２スイッチケース２１０を下面側から見た斜視図である。
【図６】プッシュロックスイッチ１−１の動作説明図である。
【図７】プッシュロックスイッチ１−１の動作説明図である。
【図８】プッシュロックスイッチ１−１の動作説明図である。
【図９】プッシュロックスイッチ１−１をディスプレイ装置３００の電源スイッチに用いた例を示す斜視図である。
【図１０】図９のＥ−Ｅ線部分の概略断面拡大図（非ロック位置）である。
【図１１】図９のＥ−Ｅ線部分の概略断面拡大図（ロック位置）である。
【図１２】プッシュロックスイッチ１−１のディスプレイ装置３００への取付構造の他の例を示す概略断面拡大図である。
【図１３】他の形状の操作つまみ２５０を用いたプッシュロックスイッチ１−１のディスプレイ装置３００への取付構造を示す概略断面拡大図である。
【図１４】他の形状の操作つまみ２５０を用いたプッシュロックスイッチ１−１のディスプレイ装置３００への取付構造を示す概略断面拡大図である。
【図１５】プッシュロックスイッチ１−２の概略断面図である。
【図１６】プッシュロックスイッチ１−２の平面図（但し第２スイッチケース２１０を外した状態）である。
【図１７】従来のプッシュロックスイッチ５００の外装ケース５１０への取付構造を示す概略断面図である。
【符号の説明】
【００６２】
１−１  プッシュロックスイッチ
１０  第１スイッチケース（スイッチケース）
５０  スイッチ機構
１１０  操作体
１１１  操作レバー
Ａ  スライド移動方向
１５０  ロック機構
１９０  弾発バネ（弾発機構）
２１０  第２スイッチケース（スイッチケース）
２１１  レバー挿通部
２３０  取付板
２５０  操作つまみ
２５５  指係止部
３００  ディスプレイ装置（電子機器）
３０５  開口
３０７  外装ケース
３０９  逆方向押圧防止部
３１１  指係止防止構造
１−２  プッシュロックスイッチ
【図１】
2010033951.tif 000003
【図２】
2010033951.tif 000004
【図３】
2010033951.tif 000005
【図４】
2010033951.tif 000006
【図５】
2010033951.tif 000007
【図６】
2010033951.tif 000008
【図７】
2010033951.tif 000009
【図８】
2010033951.tif 000010
【図９】
2010033951.tif 000011
【図１０】
2010033951.tif 000012
【図１１】
2010033951.tif 000013
【図１２】
2010033951.tif 000014
【図１３】
2010033951.tif 000015
【図１４】
2010033951.tif 000016
【図１５】
2010033951.tif 000017
【図１６】
2010033951.tif 000018
【図１７】
2010033951.tif 000019